(57)【要約】【課題】バックライト部で消費される電力を抑制する表示装置を提供する。【解決手段】１コマ毎に画像を更新して表示する表示装置であって、画像の更新に応じて画面内の画素を順次に書き換える液晶表示部と、液晶表示部の裏面から光を照射する複数の発光素子を有するバックライト部と、液晶表示部における画素の書き換えに同期して、液晶表示部の画面内における領域毎に複数の発光素子の発光量を制御する光量制御部と、を備える表示装置を提供する。【選択図】図２
2012022235.tif 000002
【特許請求の範囲】
【請求項１】
１コマ毎に画像を更新して表示する表示装置であって、
画像の更新に応じて画面内の画素を順次に書き換える液晶表示部と、
前記液晶表示部の裏面から光を照射する複数の発光素子を有するバックライト部と、
前記液晶表示部における画素の書き換えに同期して、前記液晶表示部の画面内における領域毎に前記複数の発光素子の発光量を制御する光量制御部と、
を備える表示装置。
【請求項２】
前記液晶表示部は、１コマ前の画像を新しい画像に画面上部から順次に上書きすることにより画像を更新し、
前記光量制御部は、前記液晶表示部の画面を垂直方向に分割した分割領域毎に前記複数の発光素子の発光量を制御する
請求項１に記載の表示装置。
【請求項３】
前記光量制御部は、上書きがされてからの経過時間が短い分割領域ほど、対応する分割領域に設けられた発光素子の発光量を大きくする
請求項２に記載の表示装置。
【請求項４】
前記光量制御部は、１コマ前の画像を異なる新しい画像に更新する場合において、１コマ前の画像を表示している位置に対応する発光素子を消灯する
請求項２または３に記載の表示装置。
【請求項５】
前記液晶表示部は、立体画像を表示するための右眼用画像および左眼用画像を交互に表示し、
前記光量制御部は、前記右眼用画像を前記左眼用画像に更新する場合に、前記右眼用画像を表示している位置に対応する発光素子を消灯し、前記左眼用画像を前記右眼用画像に更新する場合に、前記左眼用画像を表示している位置に対応する発光素子を消灯する
請求項４に記載の表示装置。
【請求項６】
１コマ毎に画像を更新して表示する表示装置におけるバックライト制御方法であって、
前記表示装置は、
画像の更新に応じて画面内の画素を順次に書き換える液晶表示部と、
前記液晶表示部の裏面から光を照射する複数の発光素子を有するバックライト部と、
を備え、
前記液晶表示部における画素の書き換えに同期して、前記液晶表示部の画面内における領域毎に前記複数の発光素子の発光量を制御する
バックライト制御方法。
【発明の詳細な説明】
【技術分野】
【０００１】
本発明は、表示装置およびバックライト制御方法に関する。
【背景技術】
【０００２】
従来より、液晶表示装置が知られている。液晶表示装置は、液晶表示部と、液晶表示部に対して裏面側から光を照射するバックライト部とを備える。バックライト部は、例えばＬＥＤ（発光ダイオード）等の光源を有する。
【０００３】
非特許文献１  ソニー株式会社、「３Ｄ〈ブラビア〉登場  液晶テレビ  ＢＲＡＶＩＡ〈ブラビア〉ソニー」、［平成２２年５月３１日検索］、インターネット〈URL: http://www.sony.jp/bravia/technology/3d/index.html〉
【発明の概要】
【発明が解決しようとする課題】
【０００４】
ところで、バックライト部は比較的に大きな電力を消費する。従って、液晶表示装置は、バックライト部の電力消費を抑制した発光制御ができることが好ましい。
【課題を解決するための手段】
【０００５】
上記課題を解決するために、本発明の第１の態様においては、１コマ毎に画像を更新して表示する表示装置であって、画像の更新に応じて画面内の画素を順次に書き換える液晶表示部と、前記液晶表示部の裏面から光を照射する複数の発光素子を有するバックライト部と、前記液晶表示部における画素の書き換えに同期して、前記液晶表示部の画面内における領域毎に前記複数の発光素子の発光量を制御する光量制御部と、を備える表示装置、および、バックライト制御方法を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る表示装置１０の構成を示す。
【図２】液晶表示部１２の表示制御およびバックライト部１４の発光制御のタイミングの一例を示す。
【図３】本実施形態の変形例に係る表示装置１０の構成を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る表示装置１０の構成を示す。表示装置１０は、パネル型であって、１コマ毎（例えば１フレーム毎）に画像を更新して表示する。
【００１０】
表示装置１０は、液晶表示部１２と、バックライト部１４と、表示制御部１６と、光量制御部１８とを備える。液晶表示部１２は、外部から与えられた画像データに応じた画像を表示する。より詳しくは、液晶表示部１２は、１コマ毎の画像の更新に応じて、画面内の画素を順次に書き換える。液晶表示部１２は、一例として、画面の上から下に向かい水平ライン毎に順次に画像を更新する。
【００１１】
バックライト部１４は、液晶表示部１２の裏面から光を照射する複数の発光素子を有する。複数の発光素子は、一例として、ＬＥＤである。表示制御部１６は、外部から画像データを受け取り、受け取った画像データに応じた画像を液晶表示部１２に表示させる。
【００１２】
光量制御部１８は、液晶表示部１２における画素の書き換えに同期して、液晶表示部１２の画面内における領域毎に複数の発光素子の発光量を制御する。光量制御部１８は、一例として、液晶表示部１２における画素の書き換えに同期して画面の上から下に向かい、画面を垂直方向に複数個に分割した分割領域毎に、複数の発光素子の発光量を制御する。
【００１３】
このようなバックライト部１４において、バックライト部１４から液晶表示部１２の裏面へと照射された光は、液晶表示部１２を透過して観視者の眼に与えられる。これにより、バックライト部１４は、液晶表示部１２により表示された画像を観視者に観賞させることができる。
【００１４】
図２は、液晶表示部１２の表示制御およびバックライト部１４の発光制御のタイミングの一例を示す。液晶表示部１２は、一例として、１コマ前の画像を新しい画像に画面上部から順次に上書きすることにより画像を更新する。
【００１５】
例えば、図２の（Ａ）の画面（数字の"１"の画面）から図２の（Ｃ）の画面（数字の"２"の画面）へ遷移させる場合には、液晶表示部１２は、図２の（Ｂ）に示されるように、（Ａ）の画面を（Ｃ）の画面により上から順に上書きする。また、例えば、図２の（Ｃ）の画面（数字の"２"の画面）から図２の（Ｅ）の画面（数字の"３"の画面）へ遷移させる場合には、液晶表示部１２は、図２の（Ｄ）に示されるように、（Ｃ）の画面を（Ｅ）の画面により上から順に上書きする。
【００１６】
そして、光量制御部１８は、１コマ前の画像を異なる新しい画像に更新する場合において、１コマ前の画像を表示している位置に対応する発光素子を消灯する。例えば、光量制御部１８は、図２の（Ｂ）の状態において、図２の（Ｃ）の画面（数字の"２"の画面）の領域の発光素子を点灯し、図２の（Ａ）の画面（数字の"１"の画面）の領域の発光素子を消灯する。また、例えば、光量制御部１８は、図２の（Ｄ）の状態において、図２の（Ｅ）の画面（数字の"３"の画面）の領域の発光素子を点灯し、図２の（Ｃ）の画面（数字の"２"の画面）の領域の発光素子を消灯する。
【００１７】
以上のように、表示装置１０は、画面更新時において不要な発光素子を消灯する。これにより、表示装置１０によれば、バックライト部１４の消費電力を抑えることができる。
【００１８】
また、光量制御部１８は、上書きがされてからの経過時間が短い分割領域ほど、対応する分割領域に設けられた発光素子の発光量を大きくしてもよい。即ち、光量制御部１８は、上書きがされてからの経過時間に応じて、対応する分割領域に設けられた発光素子の発行量を徐々に小さくしてもよい。これにより、光量制御部１８は、それぞれの領域における発光時間を均一化して、効率の良い発光をさせることができる。
【００１９】
図３は、本実施形態の変形例に係る表示装置１０の構成を示す。本変形例に係る表示装置１０は、図１に示した表示装置１０と略同一の構成および機能を採るので、図１に示した部材と略同一の構成および機能の部材に同一の符号を付け、以下相違点を除き説明を省略する。
【００２０】
本変形例に係る表示装置１０は、観視者の右眼に与える右眼用画像および左眼に与える左眼用画像を表示する。観視者は、シャッタ式の専用の眼鏡を装着して表示装置１０を観察することにより、表示された画像を立体的に認識することができる。
【００２１】
本変形例に係る液晶表示部１２は、立体画像を表示するための右眼用画像および左眼用画像を交互に表示する。液晶表示部１２は、一例として、フレーム毎に切り替えて、右眼用画像および左眼用画像を表示する。
【００２２】
更に、液晶表示部１２は、右眼用画像および左眼用画像の書き換えにおいて、一方の画像を他方の画像により画面の上部から順に上書きする。即ち、液晶表示部１２は、右眼用画像を左眼用画像に書き換える場合には、右眼用画像に左眼用画像を画面の上部から順に上書きする。また、液晶表示部１２は、左眼用画像を右眼用画像に書き換える場合には、左眼用画像に右眼用画像を画面の上部から順に上書きする。
【００２３】
そして、光量制御部１８は、右眼用画像を左眼用画像に更新する場合に、右眼用画像を表示している位置に対応する発光素子を消灯する。また、光量制御部１８は、左眼用画像を右眼用画像に更新する場合に、左眼用画像を表示している位置に対応する発光素子を消灯する。
【００２４】
このような本変形例に係る表示装置１０は、右眼用画像および左眼用画像を交互に表示する場合において、不要な発光素子を消灯することができる。これにより、本変形例に係る表示装置１０によれば、バックライト部１４の消費電力を抑えることができる。
【００２５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００２６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００２７】
１０  表示装置、１２  液晶表示部、１４  バックライト部、１６  表示制御部、１８  光量制御部
【図１】
2012022235.tif 000003
【図２】
2012022235.tif 000004
【図３】
2012022235.tif 000005